(57)【要約】【課題】利用者による空調操作について、空調装置の使用電力量の削減を実現するために、一定の操作上の制約を課しても操作者に与えるストレスを軽減する。【解決手段】居室を空調する制御装置と、前記制御装置を管理する空調監視装置とを備えた空調制御システムにおける操作制限方法において、空調の温度を設定するステップと、操作者の権限を識別するＩＤを読み取るステップと、その温度設定操作を所定期間の電力使用計画と読み取られた温度設定操作者のＩＤに対応する権限から認可すべきか判断するステップと、その判断結果にしたがって前記制御装置を運転するステップと、を備えることを特徴とする空調制御システムにおける操作制限方法。 【選択図】  図３
2015014406.tif 000002
【特許請求の範囲】
【請求項１】
居室を空調する制御装置と、前記制御装置を管理する空調監視装置とを備えた空調制御システムにおける操作制限方法において、
空調の温度を設定するステップと、
操作者の権限を識別するＩＤを読み取るステップと、
その温度設定操作を所定期間の電力使用計画と読み取られた温度設定操作者のＩＤに対応する権限から認可すべきか判断するステップと、
その判断結果にしたがって前記制御装置を運転するステップと、
を備えることを特徴とする空調制御システムにおける操作制限方法。
【請求項２】
請求項１に記載の操作制限方法において、
さらに、前記判断結果を操作者に知らしめるメッセージ表示するステップを備えることを特徴とする空調制御システムにおける操作制限方法。
【請求項３】
請求項１乃至２に記載の操作制限方法において、
前記制御装置は複数の居室を空調する個別制御装置であり、
前記空調監視装置は前記個別制御装置を管理する中央空調監視装置であることを特徴とする空調制御システムにおける操作制限方法。
【請求項４】
居室を空調する制御装置と、前記制御装置を管理する空調監視装置とを備えた空調制御システムにおいて、
空調の温度を設定する温度設定器と、
操作者の権限を識別するＩＤを読み取るリーダと、
温度設定操作を所定期間の電力使用計画と読み取られた温度設定操作者のＩＤに対応する権限から認可すべきか判断する空調監視装置と、
その判断結果にしたがって運転する制御装置と、
を備えることを特徴とする空調制御システムにおける操作制限システム。
【請求項５】
請求項４に記載の操作制限システムにおいて、
さらに、前記判断結果を操作者に知らしめるメッセージ表示する温度設定器を備えることを特徴とする空調制御システムにおける操作制限システム。
【請求項６】
請求項４乃至５に記載の操作制限システムにおいて、
前記制御装置は複数の居室を空調する個別制御装置であり、
前記空調監視装置は前記個別制御装置を管理する中央空調監視装置であることを特徴とする空調制御システムにおける操作制限システム。
【発明の詳細な説明】
【技術分野】
【０００１】
この発明は、複数の居室を空調する個別制御装置と、個別制御装置を管理する中央空調監視装置とを備えた空調制御システムにおいて、利用者による空調操作について、空調装置の使用電力量の削減を実現するために一定の操作上の制約を課する操作制限に関する。
【背景技術】
【０００２】
一般にテナントビルなど複数の空気調和機が設置されたビルの場合、空気調和機の使用電力料金は、ビルの管理者から各テナントに請求される。そのため、複数台の空気調和機に対しその動力線の基幹部にパルス発信装置付きの電力量計を設置して、この電力量計から送られるパルス信号をカウントして空気調和機全体の使用電力量を計測している。そして、計測した使用電力量を各空気調和機の運転状況に応じて割り振って、各空気調和機の使用電力量を按分計算し、その計算結果に基づいて各テナントに課金する。特にマルチタイプの空調システムで一般的である。また、マルチタイプでなく中央に空調機を備え各居室について可変風量制御（ＶＡＶ：ＶａｒｉａｂｌｅＡｉｒＶｏｌｕｍｅ）を行うセントラル空調システムでも同様である。
【０００３】
従来の技術では、中央制御装置側から各空気調和機の運転を制限する機能はなく、テナント入居者は自由に空気調和機の運転が可能であった。そのために、空調負荷が大きい時期には空気調和機全体の使用電力量が増大し、その結果として契約電力量を超過する場合があるので、特許文献1は、各空気調和機の運転を強制的に制限することによって各空気調和機の使用電力量を低減し、契約電力の超過や高額な課金の発生を防止する発明である。
【０００４】
特許文献１ に記載の空気調和装置では、節電制御手段により各室外機の運転を機械的に一括で制御するため、各室内機を設置した部屋の在室者の空調に関する好み等を室内機の運転に反映させることができず、在室者の快適性が損なわれる問題があった。そこで、特許文献２では、利用者自身による空調操作を可能にしつつ、所定条件に応じて各操作の許可・禁止を登録した操作条件データに基づいて、受付手段により受け付けた操作の許可・禁止を判断する操作可否判断手段と、操作が許可された場合に操作指示を空調装置へ送信する送信手段とを備える空調装置の操作装置の発明である。
【先行技術文献】
【特許文献】
【０００５】
【特許文献１】特開２００２−１５６１４２号公報
【特許文献２】特開２０１２−２０２５９４号公報
【発明の概要】
【発明が解決しようとする課題】
【０００６】
先行技術文献のどちらも、結局は操作者による室温操作などを許可するか禁止するかの択一的判断が機械的で人間的な温かみが感じないなどの問題があった。そのため、操作者の不満を呼び、逆に管理者へのクレームも増えて、お互いの精神的なストレスが増加する問題があった。
【０００７】
この問題を解決するために、省エネルギー意識させるように操作制限をかけるようにして、所定の場合には操作が制限されても仕方ないなど操作者も納得できるような情緒的な作用が働く余地のあるシステム・方法を提供する。
【課題を解決するための手段】
【０００８】
本願発明は、居室を空調する制御装置と、前記制御装置を管理する空調監視装置とを備えた空調制御システムにおける操作制限方法において、
空調の温度を設定するステップと、操作者の権限を識別するＩＤを読み取るステップと、
その温度設定操作を所定期間の電力使用計画と読み取られた温度設定操作者のＩＤに対応する権限から認可すべきか判断するステップと、その判断結果にしたがって前記制御装置を運転するステップと、を備えることを特徴とする空調制御システムにおける操作制限方法である。
さらに、前記判断結果を操作者に知らしめるメッセージ表示するステップを備えることを特徴とする、また、前記制御装置は複数の居室を空調する個別制御装置であり、
前記空調監視装置は前記個別制御装置を管理する中央空調監視装置であることを特徴とする、空調制御システムにおける操作制限方法でもある。
【０００９】
さらに本願発明は、居室を空調する制御装置と、前記制御装置を管理する空調監視装置とを備えた空調制御システムにおいて、
空調の温度を設定する温度設定器と、操作者の権限を識別するＩＤを読み取るリーダと、
温度設定操作を所定期間の電力使用計画と読み取られた温度設定操作者のＩＤに対応する権限から認可すべきか判断する空調監視装置と、その判断結果にしたがって運転する制御装置と、を備えることを特徴とする空調制御システムにおける操作制限システムである。
さらに、前記判断結果を操作者に知らしめるメッセージ表示する温度設定器を備えることを特徴とする、また、前記制御装置は複数の居室を空調する個別制御装置であり、
前記空調監視装置は前記個別制御装置を管理する中央空調監視装置であることを特徴とする、空調制御システムにおける操作制限システムでもある。
【発明の効果】
【００１０】
本願発明により、利用者による空調操作について、空調装置の使用電力量の削減を実現するために、所定期間の電力使用計画と読み取られた温度設定操作者のＩＤに対応する権限に応じて制約を課すものとし、すなわち明確な目的の下、常時一定一律の制約を課すものではなくすることになる。したがって、操作に一定の負担を設けてはいるものの、操作を禁止されたわけではないので、拒絶感を低減できる。また、所定期間の電力使用計画に応じて特別な操作や制約が課せられることになるので、省エネルギーやデマンドレスポンスにとって重要な日あるいは時間帯であることを、操作者に想起させることができる。その結果、操作者に与えるストレスを軽減する効果が期待できる。
【図面の簡単な説明】
【００１１】
【図１】本願発明の実施の一形態にかかる空調システムの構成を示す。
【図２】本願発明の操作にかかる温度設定器の概要を示す
【図３】本願発明の実施にかかる空調システムにおける各機能部の相関動作フロー
【図４】本願発明の実施にかかるワークフロー認証ルート例
【発明を実施するための形態】
【００１２】
以下、本願発明を実施の形態に基づき説明する。図１はこの発明の一実施の形態を示す空調システムの全体構成を示す図である。セントラル空調方式は大規模設備の場合に有効で、中央熱源方式が一般的である。中央に位置する空調機３でボイラ（図外）や冷凍機（図外）を備える。ボイラによって温水を作り、その温水をコイルに流し，そのコイルに取り込んだ外気を送ることで温風を作り，その温風を送風機によって施設全体に送り出して暖房する。逆に冷風を作る場合は，冷凍機で冷水を作り，その冷水をコイルに流し，外気を取り込んでコイルにあてることで冷風を作り，その冷風を送風機によって施設全体に送り出して冷房する。設備全体エネルギーを統括的に管理するのが空調監視装置１、制御を実行するのが中央空調制御装置２である。これら装置は有線無線を問わずネットワークで接続される。そして、本願発明では、空調監視装置１に同様にネットワークで認証サーバ１０およびＷｅｂ／Ｍａｉｌサーバ２０が認証の処理のために構成されている。なお、機能分散は任意で、認証サーバ１０およびＷｅｂ／Ｍａｉｌサーバ２０は一体で形成されたり、または空調監視装置１に組み込まれてもよい。
【００１３】
中央熱源方式において、分散された居室に対応する個別のＶＡＶコントローラ４およびＶＡＶユニット５に対して、生成した温風または冷風を送風する方式を全空気方式と呼ぶ、これをもって本発明の実施例として、以下の説明を進める。ただし，中央熱源方式でも，ボイラで温水を作り，圧縮機で冷水を作り，それらを直接温水コイル，冷水コイルを通して施設全体へと送り出し，各階・各室，各部分にあるコントローラ４・ユニット５の中で温風，冷風をつくるタイプもある。この場合，水方式と呼ばれ、その代表例はファンコイルユニット方式と知られている。本発明はこの水方式にも応用は可能である。
【００１４】
このＶＡＶ制御システムは、空調機３より給気ダクト(太矢印の空気流れ)を介して各部へ空気の供給を行なうものであり、各空調対象部位である居室の空気吹き出し口８に可変給気量調節ユニット（ＶＡＶユニット）５を設け、このＶＡＶユニットのダンパ開度を温度検出器９からの室温に応じてＶＡＶコントローラ４で制御するものである。居室毎に温度設定器５０が設けられている。
【００１５】
温度設定器５０での動作を説明するため図２を参照する。
図２Ａは温度設定器の正面パネルを示す。５１はＬＣＤなどの制御情報表示部である。
５２，５３は温度設定値の変更（増加、減少）ボタンである。
図２Ｂは本発明の特徴にかかるもので、さらに制御情報表示部５１に各種情報の提示及び操作にかかるメッセージ表示部６０を備え、操作ボタンに確定ボタン５４とキャンセルボタン５５を備える。確定ボタン５４が押されれば、メッセージ表示が確認されたことを示す。一方、キャンセルボタン５５が押されたなら、一連の操作はキャンセルされる。
【００１６】
さて、ＩＤとは、本願発明の空調制御システムのユーザ（居住者、操作者）を識別するために用いる符号を意味する。ＩＤはアルファベットや数字の入力受付でもよいが、非接触ＩＣカード（ＲＦＩＤ）、または、指紋、顔、虹彩認証等が用いられることもあり、そのための読み込み器は装備される。
本例では、図示していないが温度設定器５０内部に又は近傍に、ＩＤカード（非接触ＩＣカード）のリーダを備える。
【００１７】
図３の相関フローにより、本発明の動作を説明する。
まず、温度設定器７に操作者が近づき、温度設定の変更を行うとする。その旨の通信が個別の制御装置（ＶＡＶコントローラ）４を経由して中央の空調制御装置２に伝えられる（図２中のステップＳ０１）。このとき相前後して、ＩＤカードの読み取りが行われる。
すると、その旨の通信が空調監視装置１へ伝えられる（Ｓ０２）。空調監視装置１は主に、ビルのエネルギー管理（ＢＥＭＳ）のためにあり電力の使用量計画（デマンドレスポンス）を把握しているために、この操作に制限をかけるべきかを判断する（Ｓ０３）。もしも、電力に余裕がある場合には、認証運転に入らずに直接に設定値変更処理（Ｓ０４）へ進んでよい。一方、認証運転モードが必要な場合には、認証サーバ１０へ認証をリクエストする（Ｓ１０）。
【００１８】
次に、認証サーバ１０は設定値変更について、規定のワークフローにしたがって判断する（Ｓ１１）。例えば、図４で示すように、フロア箇所にしたがって、操作者として認められた者が携帯するＩＤカードにあるＩＤにより、認証にかかる稟議ワークフローを取り出す。そこにある承認者および決裁者（最終承認者）からなるデータをもって、Ｗｅｂ／Ｍａｉｌサーバ２０に次の実行をゆだねる（Ｓ２０）。Ｗｅｂ／Ｍａｉｌサーバ２０は、承認者および決裁者に順次メール通知を行う（Ｓ２１）。通知先は承認者などのモバイル端末２１（携帯電話、タブレット、ＰＣなど）である。モバイル端末２１から直接可否メールを受け取ることでも、また当該メールに記述されたＷｅｂ（ＵＲＬ）アドレスにリンクしてそこでのクリック操作などでも、承認可否を受け取れる。なお、承認は、設備全体を管理している者であるので、被空調空間の環境条件（エネルギー費用等を含み）を勘案して、本設定温度の変更を認めるかどうかを判断きる。
なお、図４の認証ルートの空欄は、承認者は存在無くとも上位者が決裁権限を持つ意味である。
【００１９】
この結果を、認証サーバ１０はＷｅｂ／Ｍａｉｌサーバ２０から受信する（Ｓ２２）。つづいて、認証サーバ１０は空調監視装置１へ通信する（Ｓ１２）。そして、設定値受け入れの可否の結果によって、設定値変更処理（Ｓ０４）が実行される。なお、変更不可の場合は温度設定の変更は行われない。
【００２０】
そして、空調監視装置１は、中央および個別の制御装置２、４へ指令を送る（Ｓ０６）。
そうして、空調にかかる制御動作が実行される。並びに、温度設定器７へは、当該操作が受け付けられたのか、はたまた禁止されたのか（その場合には、その理由も）が温度設定器７上のメッセージ表示欄６０にディスプレイされる（ステップＳ０７）。そして、温度設定器７における確定ボタン５４、キャンセルボタン５５入力で操作者の確認を得ることができる。その旨が操作ログなどに記憶されることでもよい。
【００２１】
なお、温度設定器７における確定ボタン５４、キャンセルボタン５５について、フローの随所でインタラクティブに、問い合わせ状況とリンクしてメッセージ表示されると、いっそう操作者のいらいら感は解消されることになる。
【産業上の利用可能性】
【００２２】
以上のとおり、本願発明ではセントラル空調システムの例をとって説明したが、マルチタイプの個別空調機分散配置の形態（特許文献１の例）でも、本発明は適用可能であることを付け加えておく。その他、変形応用も同様である。
【符号の説明】
【００２３】
１  空調監視装置
２  中央空調制御装置
３  空調機
４  (個別)ＶＡＶコントローラ
５  ＶＡＶユニット
７  被空調空間
１０  認証サーバ
２０  Ｗｅｂ／Ｍａｉｌサーバ
２１  モバイル端末
５０  温度設定器
【図１】
2015014406.tif 000003
【図２】
2015014406.tif 000004
【図３】
2015014406.tif 000005
【図４】
2015014406.tif 000006